(57)【要約】      （修正有）【課題】電源配線の電線の切断又は電力量計等の交換の際に端末負荷機器を停電させることなく実施するため被覆に大きな損傷を与えることなく感電等安全性、時間的浪費を短縮する無停電バイパス工具を提供する。【解決手段】接続端子を導電部１、一体となる回転部２及びソケットと、電線を添える把持部３、導電部１の締め付けが緩まないように固定する緩み止め４から構成し、電線を把持部３に挿入して、導電部１を回転部２の回転によって電線にねじ込み電線の被覆を貫き、導体に接触させる。締め付けた導電部１が緩まないよう、緩み止めを把持部３に接触させて強く締め付けることで緩まなくなる。このように接続端子を電源供給側と負荷機器側となる適当な箇所に取り付けてリード線１５をソケットに差し込みプラグキャップ１３をプラグ受けに接続でバイパス回路を形成する。【選択図】図２
0003206359.tif 000002
【実用新案登録請求の範囲】
【請求項１】
電源配線において、電線の切断又は電力量計等の交換の際に端末負荷機器を停電させることなく実施するための迂回路構築で、導電部と一体となった回転部を回転してねじ込む事で電線の被覆を貫き導体に接触させる接続端子を電源供給側と負荷機器側となる適当な箇所に取り付けてリード線の接続でバイパス回路を形成する無停電バイパス工具。
【請求項２】
請求項１と同じ用途にあって、導電部が本体に固定した状態にあり可動把持部が連結されたハンドル操作によって伸縮可動して電線を引き寄せ導電部を電線に突き刺さす接続端子。この接続端子を電源供給側と負荷機器側となる適当な箇所に取り付けてリード線の接続でバイパス回路を形成する無停電バイパス工具。
【考案の詳細な説明】
【技術分野】
【０００１】本考案は電源配線において、電線の切断又は電力量計等の交換の際に端末負荷機器を停電させることなく実施するための迂回路構築の無停電バイパス工具に関する。
【従来技術】
【０００２】例えば、電源配線を切断して電源配線の張り替え又は延長を行う際に電源配線の電源供給側と負荷機器側となる適当な箇所の、電線の被覆を剥がし迂回路となる電線を巻き付けて電源のバイパス配線を施してから電源線の切断して電源配線の張り替え又は延長等を行っていた。又、電力量計等の交換も同様に行われていた。
【考案を解決しようとする課題】
【０００３】従来の技術では、電源線の電源供給側と負荷機器側となる適当な箇所の被覆を剥がして迂回路となるバイパス配線を行っていたため、電源線の切断部の復旧及び電力量計等を交換させてバイパス配線を取り除いても被覆を剥がした部分を厳重に養生しなくてはならなかった。又電源線の被覆を剥がす際、電源が通電状態にあるため、感電防止の対処を十分しなくてはならなかった。同様に電力量計等の交換もこのような対処が必要であった。このような作業には時間的浪費が伴っていた。
【０００４】本考案は電源線の被覆に与える損傷を極力少なくしてバイパス回路を構築する。又感電の危険性を極力減少させ、作業効率を上昇させる為の無停電バイパス工具を提供する事を目的とする。
【課題を解決するための手段】
【０００５】（１）課題を解決するための手段（以下略して「解決手段」と呼ぶ）としては、先端が被覆を貫きやすい構造の導電部と、これと一体となる回転部、電線を据える把持部、把持部がゆるまないようにする緩み止めから構成され、これらの外面が樹脂で出来た接続端子で先ず把持部に電線を添えて回転部を回すと導電部がネジ構造にあり前進して被覆を貫き電線の導体に接触する。電源供給側と負荷機器側となる適当な箇所にこの接続端子を施して、これらをつなぎ合わせるリード線を接続させることでバイパス回路が構築でき被覆を剥がす必要がなく、外面が樹脂であるため絶縁性があり感電の危険性も回避出来る。又回転部を回してねじ込むだけの作業故、短時間で行え作業効率が上昇する。
【０００６】解決手段の１によれば、回転部を回すことでねじ込み電線の被覆を貫き導体に接触させるが、解決手段２では、伸縮する可動把持部と導電部のつき出た本体に可動把持部を伸縮させるハンドルを連結して設け、ハンドルを引き上げると可動把持部が伸び、電線を添えることが出来る。ハンドルを下げると可動把持部が引き寄せられて電線を本体からつき出ている導電部に突き刺さり被覆を貫き電線の導体に接触させることが出来る。この構造物も外面が樹脂で構成されているため絶縁性があり感電の危険性は回避出来、短時間でバイパス回路を構築できる。
【考案の効果】
【０００７】本考案によれば、電源線の被覆を剥ぎ取ることなく損傷を極力小さくでき、外面が樹脂で構成され絶縁性があるため感電の危険性も回避できる。電源線の被覆を剥ぎ取る作業及びバイパスとなる電線を巻き付ける等の作業に要する時間的浪費も短縮出来る無停電バイパス工具を提供する事ができる。
【考案を実施するための形態】
【０００８】以下、本考案を実施するための形態について、図面を参照しながら説明する。
【０００９】（実施の形態１）
実施の形態１は、把持部（３）は導電部（１）のネジに対応しているので、対応する電線が挿入出来る状態まで導電部（１）のネジに伴って回転させて緩め、導電部（１）の先端と、把持部（３）の内側の距離を広める。対応する電線を把持部（３）に挿入すると、導電部（１）と一体となる回転部（２）を回転させて導電部（１）に挿入した電線にねじ込む。導電部（１）の先端が電線の被覆を貫き導体に接触したところで回転を停止する。導電部（１）が緩まないよう緩み止め（４）を回転させて把持部（３）に接触させ強く締め付ける事で導電部（１）の緩みを止めることが出来る。この緩み止め（４）も導電部（１）のネジに対応している構造である。この形態を給電側と負荷側に実施してリード線（１５）のプラグ部を接続端子双方のソケット（５）に差し込んでプラグキャップ（１３）で固定してバイパス回路が形成できる。
【００１０】接続端子の構成は、導電部（１）と回転部（２）が一体構造で、回転部（２）の内側に導電部（１）のソケット（５）がある。導電部（１）は全体がネジ構造で先端は対応電線の被覆を貫きやすい形状である。回転部（２）とこの緩み止め（４）は導電部（１）のネジに対応するナットが埋め込まれている。
【００１１】（実施の形態２）
実施の形態２は、実施の形態１のような、ねじ込むものではなく突き刺すもので、導電部（１）が本体（７）の先端に固定されており、可動把持部（８）がハンドル（９）の操作により伸縮する。可動把持部（８）とハンドル（９）は連結バーで連結され、テコの応用によりハンドル（９）を上げれば可動把持部（８）が伸びて対応する電線を挿入することが出来、ハンドル（９）を下げれば可動把持部（８）が本体（７）に引き寄せられて電線が導電部（１）に突き刺さり被覆を貫き導体に接触する。ハンドル（９）を下げた後戻らないようストッパ（１０）をスライドすることでハンドル（９）を固定する。ストッパ（１０）の固定方法はこの限りではない。リード線（１５）の接続方法は（実施の形態１）と同様。
【図面の簡単な説明】
【００１２】
【図１】導電部をねじ込む構成例の接続端子の斜視図である。
【図２】導電部をねじ込む構成例の接続端子間をリード線で接続した構成例の斜視図である。
【図３】導電部をねじ込む構成例の接続端子の構成例を表す平面図である。
【図４】導電部をねじ込む構成例の接続端子の構成例を表す側面図である。
【図５】導電部をねじ込む構成例の接続端子にリード線のプラグを取り付けた場合の構成例を表す断面図である。
【図６】把持部をハンドルで出し入れして導電部に突き刺す構成例の接続端子の斜視図である。
【図７】把持部をハンドルで出し入れして導電部に突き刺す構成例の接続端子間をリード線で接続した構成例の斜視図である。
【図８】把持部をハンドルで出し入れして導電部に突き刺す構成例を表す平面図である。
【図９】把持部をハンドルで出し入れして導電部に突き刺す構成例を表す側面図である。
【図１０】把持部をハンドルで出し入れして導電部に突き刺す構成例接続端子にリード線のプラグを取り付けた場合の構成例を表す断面図である。
【図１１】リード線の構成例表す図である。
【図１２】リード線のプラグ部の構成例を表す断面図である。
【符号の説明】
【００１３】１  導電部
２  回転部
３  把持部
４  緩み止め
５  ソケット
６  プラグキャップ受け
７  本体
８  可動把持部
９  ハンドル
１０  ストッパ
１１  連結バー
１２  プラグカバー
１３  プラグキャップ
１４  プラグ
１５  リード線
【図１】
0003206359.tif 000003
【図２】
0003206359.tif 000004
【図３】
0003206359.tif 000005
【図４】
0003206359.tif 000006
【図５】
0003206359.tif 000007
【図６】
0003206359.tif 000008
【図７】
0003206359.tif 000009
【図８】
0003206359.tif 000010
【図９】
0003206359.tif 000011
【図１０】
0003206359.tif 000012
【図１１】
0003206359.tif 000013
【図１２】
0003206359.tif 000014
【手続補正書】
【提出日】平成28年6月29日(2016.6.29)
【手続補正１】
【補正対象書類名】実用新案登録請求の範囲
【補正対象項目名】全文
【補正方法】変更
【補正の内容】
【実用新案登録請求の範囲】
【請求項１】
電源配線において、電線の切断又は電力量計等の交換の際に端末負荷機器を停電させることなく実施するための迂回路を構築するものであって、接続端子を電源供給側と負荷機器側となる適当な箇所に取り付けて接続端子間を結ぶリード線の接続でバイパス回路を形成する無停電バイパス工具。
【請求項２】
請求項１に記載した無停電バイパス工具にあって、
接続端子が導線に接触させるネジ構造の導電部と一体となった回転部を回転して把持部に設置した電線にねじ込む事で電線の被覆を貫き導体に接触させる構成とした無停電バイパス工具。
【請求項３】
請求項１に記載した無停電バイパス工具にあって、
接続端子がテコの原理を応用した構造で、導線に接触させる導電部が本体に固定され、把持部はハンドル操作によって前後する事で把持部に設置した電線を引き寄せて被覆を貫き導体に接触させる構成とした無停電バイパス工具。